(57)【要約】  金種の数より少ない集積部を有する紙幣処理装置において、入金処理をしながら効率的に金種毎に分類する。紙幣処理装置は、入金処理における入金確定の指示を受け付ける操作部１０６と、紙幣を受け入れる受入部１０１と、受入部によって受け入れられた紙幣を識別する識別部１０２と、正常紙幣を集積する複数の集積部１０３と、リジェクト紙幣を集積するリジェクト部１０４と、受入部によって受け入れられた紙幣を複数の集積部の何れか１つ又はリジェクト部に搬送する搬送部１０５と、複数の集積部に分類する紙幣の金種を示す分類パターンを設定する分類パターン設定部１０７と、分類パターン設定部によって設定された分類パターンを記憶すると共に、複数の集積部に集積された紙幣に関する識別部の識別結果及び計数結果を記憶する記憶部１０９と、識別部の識別結果及び記憶部に記憶された分類パターンに基づいて、複数の集積部及びリジェクト部の何れかに紙幣を搬送するように搬送部を制御する制御部１０８と、を備える。制御部１０８は、受入部及び複数の集積部の紙幣がなくなった場合には記憶部に記憶された分類パターンをクリアし、操作部によって入金確定の指示が受け付けられた場合には記憶部に記憶された計数結果を入金データとして確定する。
2009122501.tif 000002
【特許請求の範囲】
【請求項１】
入金処理における入金確定の指示を受け付ける操作部と、
紙幣を受け入れる受入部と、
前記受入部によって受け入れられた紙幣を識別する識別部と、
正常紙幣を集積する複数の集積部と、
リジェクト紙幣を集積するリジェクト部と、
前記受入部によって受け入れられた紙幣を前記複数の集積部の何れか１つ又は前記リジェクト部に搬送する搬送部と、
前記複数の集積部に分類する紙幣の金種を示す分類パターンを設定する分類パターン設定部と、
前記分類パターン設定部によって設定された分類パターンを記憶すると共に、前記複数の集積部に集積された紙幣に関する前記識別部の識別結果及び計数結果を記憶する記憶部と、
前記識別部の識別結果及び前記記憶部に記憶された分類パターンに基づいて、前記複数の集積部及び前記リジェクト部の何れかに紙幣を搬送するように前記搬送部を制御する制御部と、を備え、
前記制御部は、前記受入部及び前記複数の集積部の紙幣がなくなった場合には前記記憶部に記憶された分類パターンをクリアし、前記操作部によって入金確定の指示が受け付けられた場合には前記記憶部に記憶された識別結果及び計数結果を入金データとして確定することを特徴とする紙幣処理装置。
【請求項２】
前記分類パターン設定部は、前記受入部及び前記複数の集積部の紙幣がなくなった後に、前記受入部及び前記複数の集積部の紙幣がなくなる前に前記記憶部に記憶されていた分類パターンに示されていなかった金種の紙幣が前記複数の集積部の何れか１つに搬送されるような分類パターンを設定する請求項１に記載の紙幣処理装置。
【請求項３】
前記分類パターン設定部は、前記受入部及び前記複数の集積部の紙幣がなくなった後に、前記リジェクト部に搬送された紙幣のうち数の多い金種から順番に前記複数の集積部の何れか１つに搬送されるような分類パターンを前記記憶部に書き込む請求項１又は２に記載の紙幣処理装置。
【請求項４】
前記制御部は、前記記憶部に記憶された分類パターンに示されている金種を前記複数の集積部の何れか１つに搬送し、前記記憶部に記憶された分類パターンに示されていない金種を前記リジェクト部に搬送するように前記搬送部を制御する請求項１乃至３の何れか１項に記載の紙幣処理装置。
【請求項５】
入金処理における入金確定の指示を受け付ける操作部と、
紙幣を受け入れる受入部と、
前記受入部によって受け入れられた紙幣を識別する識別部と、
正常紙幣を集積する集積部と、
リジェクト紙幣を集積するリジェクト部と、
前記受入部によって受け入れられた紙幣を前記集積部又は前記リジェクト部に搬送する搬送部と、
前記集積部又は前記リジェクト部に分類する紙幣の金種を示す分類パターンを設定する分類パターン設定部と、
前記分類パターン設定部によって設定された分類パターンを記憶すると共に、前記集積部に集積された紙幣に関する前記識別部の識別結果及び計数結果を記憶する記憶部と、
前記識別部の識別結果及び前記記憶部に記憶された分類パターンに基づいて、前記集積部又は前記リジェクト部に紙幣を搬送するように前記搬送部を制御する制御部と、を備え、
前記分類パターン設定部は、前記受入部及び前記集積部に紙幣がなくなった後に、前記受入部及び前記集積部に紙幣がなくなる前に前記記憶部に記憶されていた分類パターンに示されていなかった金種の紙幣が前記集積部に搬送されるような分類パターンを設定することを特徴とする紙幣処理装置。
【請求項６】
前記分類パターン設定部は、前記受入部及び前記集積部の紙幣がなくなった後に、前記リジェクト部に搬送された紙幣のうち数の最も多い金種が前記集積部に搬送されるような分類パターンを前記記憶部に書き込む請求項５に記載の紙幣処理装置。
【発明の詳細な説明】
【技術分野】
【０００１】
本発明は、紙幣処理装置に関し、特に、入金処理を継続的に行う紙幣処理装置に関する。
【発明の背景】
【０００２】
従来、紙幣の入金処理を行う紙幣処理装置としては、複数（３個から７個）の集積部を有し、紙幣を種類別（例えば、金種別）に分類しながら入金処理を行う複数スタッカタイプの紙幣処理装置と、１つの集積部及び１つのリジェクト部を有し、入金される全ての紙幣を１つの集積部に複数金種混合状態で集積する１スタッカタイプの紙幣処理装置とが知られている。
【０００３】
従来の複数スタッカタイプの紙幣処理装置で紙幣を金種別に分類しながら入金処理を行うときには、金種の数より集積部の数が多い場合には、１回の処理で金種別に分類しながら入金処理を行うことができるが、金種の数より集積部の数が少ない場合には、１つの集積部を複数金種混合状態で集積するための集積部とし、分類しきれない金種を複数金種混合状態で集積しながら入金処理を行う必要があった。後者の場合には、金種別に分類された紙幣も複数金種混合状態の紙幣も共に、識別計数されて入金金額として加算表示され、オペレータが表示された金額を確認して入金確定の指示を行うことによって入金処理が完了するようになっていた。
【０００４】
しかし、従来の複数スタッカタイプの紙幣処理装置では、複数金種混合状態の紙幣は金種別に分類されていない為に、入金処理モードを設定して入金処理を行った後に、複数金種混合状態の紙幣を金種別に分類するための分類処理モードに切り換え、別途分類処理を行う必要があった。
【０００５】
また、従来の１スタッカタイプの紙幣処理装置では、集積部が１つしかない為に、金種別に分類しながら入金処理を行うためには、１金種ずつ金種を指定して指定金種のみを集積部へ送り、それ以外の紙幣をリジェクト部へ送り、リジェクト部へ送られた紙幣を再度ホッパへ投入するという一連の処理を金種の数だけ繰り返して入金処理を行う必要があった。
【０００６】
一方、１スタッカタイプの紙幣処理装置において金種を指定する方法としては、最初に計数した正常な紙幣の金種を集積部の指定金種とする方法が知られている（特開平９−１０６４６５号公報）。この方法では、金種の指定は自動で行われるものの、２回目の入金処理において再度ホッパにセットされた紙幣の最初の紙幣が１回目の入金処理において既に分類済みの紙幣と同じ金種のリジェクト紙幣や枚数が最も少ない金種の紙幣であった場合には、２回目の入金処理において集積部へ送られて入金処理される紙幣が少なく、大半がリジェクト部へ送られるので、効率的な入金処理を行うことができないという問題があった。
【０００７】
つまり、従来、金種の数より少ない集積部を有する紙幣処理装置において、入金処理をしながら効率的に金種毎に分類することができなかった。
【発明の開示】
【０００８】
本発明はこのような目的を鑑みて創作されたものであり、本発明によれば、複数の金種の入金処理を同時に行い且つ先に計数された紙幣の入金データとホッパに投入し直された紙幣の入金データを同じ取引のデータとして取り扱うことができる。
【０００９】
本発明の第１態様によれば、
入金処理における入金確定の指示を受け付ける操作部と、
紙幣を受け入れる受入部と、
前記受入部によって受け入れられた紙幣を識別する識別部と、
正常紙幣を集積する複数の集積部と、
リジェクト紙幣を集積するリジェクト部と、
前記受入部によって受け入れられた紙幣を前記複数の集積部の何れか１つ又は前記リジェクト部に搬送する搬送部と、
前記複数の集積部に分類する紙幣の金種を示す分類パターンを設定する分類パターン設定部と、
前記分類パターン設定部によって設定された分類パターンを記憶すると共に、前記複数の集積部に集積された紙幣に関する前記識別部の識別結果及び計数結果を記憶する記憶部と、
前記識別部の識別結果及び前記記憶部に記憶された分類パターンに基づいて、前記複数の集積部及び前記リジェクト部の何れかに紙幣を搬送するように前記搬送部を制御する制御部と、を備え、
前記制御部は、前記受入部及び前記複数の集積部の紙幣がなくなった場合には前記記憶部に記憶された分類パターンをクリアし、前記操作部によって入金確定の指示が受け付けられた場合には前記記憶部に記憶された識別結果及び計数結果を入金データとして確定することを特徴とする紙幣処理装置が提供される。
【００１０】
本発明において、前記分類パターン設定部は、前記受入部及び前記複数の集積部の紙幣がなくなった後に、前記受入部及び前記複数の集積部の紙幣がなくなる前に前記記憶部に記憶されていた分類パターンに示されていなかった金種の紙幣が前記複数の集積部の何れか１つに搬送されるような分類パターンを設定することが好ましい。
【００１１】
本発明において、前記分類パターン設定部は、前記受入部及び前記複数の集積部の紙幣がなくなった後に、前記リジェクト部に搬送された紙幣のうち数の多い金種から順番に前記複数の集積部の何れか１つに搬送されるような分類パターンを前記記憶部に書き込むことが好ましい。
【００１２】
本発明において、前記制御部は、前記記憶部に記憶された分類パターンに示されている金種を前記複数の集積部の何れか１つに搬送し、前記記憶部に記憶された分類パターンに示されていない金種を前記リジェクト部に搬送するように前記搬送部を制御することが好ましい。
【００１３】
本発明の第２態様によれば、
入金処理における入金確定の指示を受け付ける操作部と、
紙幣を受け入れる受入部と、
前記受入部によって受け入れられた紙幣を識別する識別部と、
正常紙幣を集積する集積部と、
リジェクト紙幣を集積するリジェクト部と、
前記受入部によって受け入れられた紙幣を前記集積部又は前記リジェクト部に搬送する搬送部と、
前記集積部又は前記リジェクト部に分類する紙幣の金種を示す分類パターンを設定する分類パターン設定部と、
前記分類パターン設定部によって設定された分類パターンを記憶すると共に、前記集積部に集積された紙幣に関する前記識別部の識別結果及び計数結果を記憶する記憶部と、
前記識別部の識別結果及び前記記憶部に記憶された分類パターンに基づいて、前記集積部又は前記リジェクト部に紙幣を搬送するように前記搬送部を制御する制御部と、を備え、
前記分類パターン設定部は、前記受入部及び前記集積部に紙幣がなくなった後に、前記受入部及び前記集積部に紙幣がなくなる前に前記記憶部に記憶されていた分類パターンに示されていなかった金種の紙幣が前記集積部に搬送されるような分類パターンを設定することを特徴とする紙幣処理装置が提供される。
【００１４】
本発明において、前記分類パターン設定部は、前記受入部及び前記集積部の紙幣がなくなった後に、前記リジェクト部に搬送された紙幣のうち数の最も多い金種が前記集積部に搬送されるような分類パターンを前記記憶部に書き込むことが好ましい。
【図面の簡単な説明】
【００１５】
【図１】は、本発明の実施例１に係る紙幣処理装置１００の内部構成を示す概略図である。
【図２】は、本発明の実施例１に係る紙幣処理装置１００の制御ブロックを示すブロック図である。
【図３】は、本発明の実施例１に係る入金処理の処理手順を示すフローチャートである。
【図４】は、本発明の実施例１に係る操作表示部１０６に表示される確認画面の概略を示す概略図である。
【図５】は、本発明の実施例１に係る分類計数処理（図３のＳ３０２，Ｓ３０７）の処理手順を示すフローチャートである。
【図６】は、本発明の実施例１に係る分類パターンデータ１０９Ｂの概略を示す概略図である。
【図７】は、本発明の実施例１に係る計数データ１０９Ｃ及びリジェクトデータ１０９Ｄの概略を示す概略図である。
【図８】は、本発明の実施例１に係る分類パターン設定処理（図３のＳ３０６）の第１例を示すフローチャートである。
【図９】は、本発明の実施例１に係る分類パターン設定処理（図５のＳ５１３）の第２例を示すフローチャートである。
【図１０】は、本発明の実施例１に係る分類パターン設定処理（図３のＳ３０６）の第３例を示すフローチャートである。
【図１１】は、本発明の実施例１に係る操作表示部１０６に表示されるエラー画面の概略を示す概略図である。
【図１２】は、本発明の実施例１に係る分類パターン設定処理（図８〜図１０）において設定される分類パターンデータ１０９Ｂを示す概念図である。
【発明を実施するための最良の形態】
【００１６】
以下、本発明の実施例について図面を参照して説明する。なお、以下の実施例は、本発明の実施の一形態であって、本発明の範囲を限定するものではない。
【実施例１】
【００１７】
はじめに、本発明の実施例１について説明する。本発明の実施例１は、複数の集積部を備える紙幣処理装置において、複数回継続して行われる入金処理と入金処理の間に分類パターンデータがクリアされる例である。【００１８】
まず、本発明の実施例１に係る紙幣処理装置１００の構成について図１及び図２を参照して説明する。図１は、本発明の実施例１に係る紙幣処理装置１００の内部構成を示す概略図であり、図２は、本発明の実施例１に係る紙幣処理装置１００の制御ブロックを示すブロック図である。【００１９】
図１に示されるように、紙幣処理装置１００は、受入部１０１、識別部１０２、集積部１０３Ａ，１０３Ｂ、リジェクト部１０４及び搬送部１０５を備えている。また、図２に示されるように、紙幣処理装置１００は、操作表示部１０６、分類パターン設定部１０７、制御部１０８及び記憶部１０９を更に備えている。【００２０】
受入部１０１は、セットされた紙幣を紙幣処理装置１００の中に受け入れる。【００２１】
識別部１０２は、受入部１０１によって受け入れられた紙幣の金種を識別し、識別結果に基づいて計数し、計数結果を計数データ１０９Ｃとして記憶部１０９に書き込む。識別部１０２は、識別結果を制御部１０８に送る。識別結果は、紙幣の金種、識別不能又は搬送異常（斜行、連鎖若しくは重送）である。【００２２】
集積部１０３Ａ，１０３Ｂは、制御部１０８によって集積部１０３Ａ，１０３Ｂへ搬送する紙幣と判定された紙幣（以下、「正常紙幣」という）を金種毎に集積する。【００２３】
リジェクト部１０４は、制御部１０８によってリジェクト部１０４へ搬送する紙幣と判定された紙幣（以下、「リジェクト紙幣」という）を集積する。【００２４】
搬送部１０５は、受入部１０１によって受け入れられた紙幣を識別部１０２へ搬送すると共に、制御部１０８の制御に基づいて、紙幣を集積部１０３Ａ，１０３Ｂ又はリジェクト部１０４に搬送する。【００２５】
操作表示部１０６は、図示されない指示受付機構及び表示機構を有する。指示受付機構は、オペレータの指示の入力を受け付けるキーボードである。表示機構は、オペレータに対して所定の情報を表示するディスプレイである。【００２６】
分類パターン設定部１０７は、集積部１０３Ａ，１０３Ｂに分類する紙幣の金種のパターン（以下、「分類パターン」という）を設定し、分類パターンデータ１０９Ｂとして記憶部１０９に書き込む。【００２７】
制御部１０８は、各部１０１〜１０７，１０９に接続されている。制御部１０８は、記憶部１０９に記憶された制御プログラム１０９Ａを起動し、紙幣処理装置１００の各部１０１〜１０７を制御する。制御部１０８は、識別部１０２の識別結果と分類パターンに基づいて、受入部１０１によって受け入れられた紙幣が集積部１０３Ａ若しくは１０３Ｂへ搬送する紙幣（正常紙幣）又はリジェクト部１０４へ搬送する紙幣（リジェクト紙幣）の何れかであるかを判定する。制御部１０８は、正常紙幣と判定された紙幣を金種毎に集積部１０３Ａ又は集積部１０３Ｂへ搬送し、リジェクト紙幣と判定された紙幣をリジェクト部１０４へ搬送するように搬送部１０５を制御する。制御部１０８は、リジェクト紙幣と判定した場合には、リジェクト紙幣の金種及びリジェクト要因を含むリジェクトデータ１０９Ｄを記憶部１０９に書き込む。【００２８】
記憶部１０９は、制御プログラム１０９Ａ、分類パターンデータ１０９Ｂ、計数データ１０９Ｃ、リジェクトデータ１０９Ｄ及び入金データ１０９Ｅを記憶する。記憶部１０９は、制御部１０８のワーキングメモリとしても機能する。【００２９】
次に、本発明の実施例１に係る紙幣処理装置１００の動作について図１を参照して説明する。【００３０】
図１に示されるように、受入部１０１にセットされた紙幣は、繰り出しローラ５が回転することによって１枚ずつ紙幣処理装置１００の内部に取り込まれる。取り込まれた紙幣は、識別部１０２を通過する。このとき、追跡センサ７ａによって検知された時点から所定のタイミングで紙幣の金種が識別される。識別部１０２を通過した紙幣は、分岐レバー１１ａ，１１ｂを経由して集積部１０３Ａ，１０３Ｂ又はリジェクト部１０４に搬送される。このとき、追跡センサ７ｂ〜７ｄに検知された時点から所定のタイミングでソレノイド（図示せず）が分岐レバー１１ａ，１１ｂを駆動させる。正常紙幣と判定された紙幣は羽根車９ａ，９ｂを経由して集積部１０３Ａ，１０３Ｂに搬送されるように分岐され、リジェクト紙幣と判定された紙幣は分岐されることなくリジェクト部１０４に搬送される。集積部１０３Ａ，１０３Ｂ又はリジェクト部１０４に集積された紙幣は、残留検知センサ２ａ〜２ｃによって残留状態が検知される。上記の各部は、モータによって駆動される。【００３１】
なお、本発明の実施例１では、２つの集積部１０３Ａ，１０３Ｂを備える紙幣処理装置１００の例について説明するが、集積部１０３の数は１つでも良いし、複数でも良い。【００３２】
次に、本発明の実施例１に係る紙幣処理装置１００の処理内容について図３〜図１２を参照して説明する。図３は、本発明の実施例１に係る入金処理の処理手順を示すフローチャートである。【００３３】
はじめに、オペレータによって初期設定が行われる（Ｓ３０１）。初期設定では、後述の分類計数処理（Ｓ３０２）において参照される分類パターンデータ１０９Ｂの選択、後述の分類パターン設定処理（Ｓ３０６）のリジェクトデータモード／計数データモードの選択並びに記憶部１０９に記憶された計数データ１０９Ｃの初期化が行われる。【００３４】
次に、後述の分類計数処理（図５）が行われる（Ｓ３０２）。【００３５】
次に、Ｓ３０２において参照された分類パターンデータ１０９Ｂがクリアされる（Ｓ３０３）。このとき、図４に示されるように、クリアキー１０６Ａ、入金確定キー１０６Ｂ及び継続入金キー１０６Ｃを含む確認画面が操作表示部１０６に表示される。【００３６】
図４のクリアキー１０６Ａが選択された場合には（Ｓ３０４−Ａ）、記憶部１０９に記憶された計数データ１０９Ｃがクリアされ、Ｓ３０２に戻る（Ｓ３０５）。【００３７】
図４の入金確定キー１０６Ｂが選択された場合には（Ｓ３０４−Ｂ）、記憶部１０９に記憶された計数データ１０９Ｃが入金データ１０９Ｅに加算された後、当該計数データ１０９Ｃがクリアされる入金確定処理が行われる（Ｓ３１０）。【００３８】
図４の継続入金キー１０６Ｃが選択された場合には（Ｓ３０４−Ｃ）、後述の分類パターン設定処理（図８、図１０）が行われる（Ｓ３０６）。【００３９】
次に、後述の分類計数処理（図５）が行われる（Ｓ３０７）。【００４０】
次に、Ｓ３０７において参照された分類パターンデータ１０９Ｂがクリアされる（Ｓ３０８）。このとき、図４に示されるように、クリアキー１０６Ａ、入金確定キー１０６Ｂ及び継続入金キー１０６Ｃを含む確認画面が操作表示部１０６に表示される。【００４１】
図４のクリアキー１０６Ａが選択された場合には（Ｓ３０９−Ａ）、Ｓ３０５に進む。【００４２】
図４の入金確定キー１０６Ｂが選択された場合には（Ｓ３０９−Ｂ）、記憶部１０９に記憶された計数データ１０９Ｃが入金データ１０９Ｅに加算された後、当該計数データ１０９Ｃがクリアされる入金確定処理が行われる（Ｓ３１０）。【００４３】
図４の継続入金キー１０６Ｃが選択された場合には（Ｓ３０９−Ｃ）、Ｓ３０６に戻る。【００４４】
本発明の実施例１に係る入金処理はＳ３１０の後に終了する。【００４５】
なお、本発明の実施例１では、Ｓ３０４において、継続入金キー１０６Ｃが選択された場合に替えて、受入部１０１に紙幣がセットされたことをもって継続入金の指示を受け付けても良い。【００４６】
図５は、本発明の実施例１に係る分類計数処理（図３のＳ３０２，Ｓ３０７）の処理手順を示すフローチャートである。なお、本発明の実施例１に係る分類計数処理は、受入部１０１に紙幣がセットされた後に行われる処理である。【００４７】
はじめに、制御部１０８によって各部１０１〜１０７を動作させるためのモータの駆動が開始する（Ｓ５０１）。【００４８】
次に、計数動作が行われる（Ｓ５０２）。【００４９】
Ｓ５０２の計数動作では、はじめに、受入部１０１によってセットされた紙幣が紙幣処理装置１００の中に受け入れられる（Ｓ５１１）。【００５０】
次に、Ｓ５１１において受け入れられた紙幣の金種が識別される（Ｓ５１２）。このとき、識別結果は制御部１０８に送られる。【００５１】
次に、後述の分類パターン設定処理（２）（図９）が行われる（Ｓ５１３）。【００５２】
次に、Ｓ５１２の識別結果と分類パターンに基づいて、正常紙幣又はリジェクト紙幣の何れかであるかが判定される（Ｓ５１４）。例えば、Ｓ５１２の識別結果にリジェクト要因が含まれていない場合には正常紙幣と判定され、リジェクト要因が含まれている場合にはリジェクト紙幣と判定される。リジェクト要因は、識別不能、搬送異常又は指定外金種（分類パターンデータ１０９Ｂに示されていない金種）である。【００５３】
Ｓ５１４において正常紙幣と判定された場合には（Ｓ５１５−ＮＯ）、計数処理が行われる（Ｓ５１６）。図６は、１０００円札を１００枚、５０００円札を２０枚ずつ分類する場合の分類パターンデータ１０９Ｂを示す。計数処理では、識別された金種に基づいて計数データ１０９Ｃの指定金種毎の枚数が加算され、分類パターンデータ１０９Ｂに基づいて正常紙幣と判定された紙幣が集積部１０３Ａ，１０３Ｂの何れかに搬送される。【００５４】
一方、Ｓ５１４においてリジェクト紙幣と判定された場合には（Ｓ５１５−ＹＥＳ）、リジェクト処理が行われる（Ｓ５１７）。リジェクト処理では、リジェクト要因毎にリジェクトデータ１０９Ｄが更新され、リジェクト紙幣と判定された紙幣がリジェクト部１０４に搬送される。【００５５】
Ｓ５１１〜Ｓ５１７は停止要件が発生するまで繰り返される（Ｓ５１８−ＮＯ）。受入部１０１にセットされた全ての紙幣が受け入れられた場合、集積部１０３Ａ，１０３Ｂに集積された紙幣の数が分類パターンデータ１０９Ｂに示されるバッチ枚数若しくは最大集積枚数に達した場合又は操作表示部１０６によって停止指示が受け付けられた場合に停止要件が発生する。Ｓ５１１〜Ｓ５１７が繰り返されることによって、図７に示されるような計数データ１０９Ｃ及びリジェクトデータ１０９Ｄを含む計数済みデータが記憶部１０９に書き込まれる。【００５６】
停止要件が発生した場合には（Ｓ５１８−ＹＥＳ）、計数動作が終了する。【００５７】
計数動作が終了した場合には、制御部１０８によって各部１０１〜１０７を動作させるためのモータの駆動が停止される（Ｓ５０３）。【００５８】
追加計数が可能であり（Ｓ５０４−ＹＥＳ）、受入部１０１に紙幣がある場合には（Ｓ５０５−ＹＥＳ）、Ｓ５０２に戻る。集積部１０３Ａ，１０３Ｂに集積された紙幣の数が分類パターンデータ１０９Ｂに示されるバッチ枚数又は最大集積枚数に達した状態が解消された場合には、追加計数が可能である。【００５９】
一方、追加計数が可能でない場合（Ｓ５０４−ＮＯ）又は受入部１０１に紙幣がなくなった場合（Ｓ５０５−ＮＯ）であって、集積部１０３Ａ，１０３Ｂに紙幣がある場合には（Ｓ５０６−ＹＥＳ）、Ｓ５０４に戻る。【００６０】
他方、追加計数が可能でない場合（Ｓ５０４−ＮＯ）又は受入部１０１に紙幣がなくなった場合（Ｓ５０５−ＮＯ）であって、集積部１０３Ａ，１０３Ｂに紙幣がない場合（例えば、集積部１０３Ａ，１０３Ｂに集積された紙幣が抜き取られた場合）には（Ｓ５０６−ＮＯ）、本発明の実施例１に係る分類計数処理が終了する。【００６１】
図８は、本発明の実施例１に係る分類パターン設定処理（図３のＳ３０６）の第１例の処理手順を示すフローチャートである。【００６２】
はじめに、記憶部１０９に記憶されたリジェクトデータ１０９Ｄが参照される（Ｓ８０１）。【００６３】
次に、Ｓ８０１において参照されたリジェクトデータ１０９Ｄのうち最も枚数が多い金種が分類パターンの指定金種として設定される（Ｓ８０２）。【００６４】
Ｓ８０１、Ｓ８０２は、設定完了になるまで繰り返される（Ｓ８０３−ＮＯ）。全ての集積部１０３Ａ，１０３Ｂについて分類パターンが設定された場合には、設定完了になる。【００６５】
分類パターンの設定が完了した場合には（Ｓ８０３−ＹＥＳ）、Ｓ８０１、Ｓ８０２の処理結果が反映された分類パターンデータ１０９Ｂが記憶部１０９に書き込まれ、本発明の実施例１に係る分類パターン設定処理の第１例が終了する（Ｓ８０４）。【００６６】
図９は、本発明の実施例１に係る分類パターン設定処理（図５のＳ５１３）の第２例の処理手順を示すフローチャートである。【００６７】
はじめに、記憶部１０９に記憶された計数データ１０９Ｃが参照される（Ｓ９０１）。【００６８】
図５のＳ５１２において識別された金種がＳ９０１において参照された計数データ１０９Ｃに存在しない金種である場合には（Ｓ９０２−ＹＥＳ）、当該金種が分類パターンの指定金種として設定される（Ｓ９０３）。【００６９】
次に、Ｓ９０１〜Ｓ９０３の処理結果が反映された分類パターンデータ１０９Ｂが記憶部１０９に書き込まれる（Ｓ９０４）。【００７０】
本発明の実施例１に係る分類パターン設定処理の第２例は、図５のＳ５１２において識別された金種がＳ９０１において参照された計数データ１０９Ｃに存在する金種である場合（Ｓ９０２−ＮＯ）又はＳ９０４の後に終了する。【００７１】
図１０は、本発明の実施例１に係る分類パターン設定処理（図３のＳ３０６）の第３例の処理手順を示すフローチャートである。【００７２】
はじめに、操作表示部１０６によって分類パターンの指定金種とする金種の指示が受け付けられる（Ｓ１００１）。【００７３】
Ｓ１００１において受け付けられた金種が記憶部１０９に記憶された計数データ１０９Ｃに存在しない金種である場合には（Ｓ１００２−ＹＥＳ）、当該金種が分類パターンの指定金種として設定される（Ｓ１００３）。【００７４】
一方、Ｓ１００１において受け付けられた金種が記憶部１０９に記憶された計数データ１０９Ｃに存在する金種である場合には（Ｓ１００２−ＮＯ）、図１１に示されるようなエラー画面が操作表示部１０６に表示される（Ｓ１００４）。【００７５】
Ｓ１００１〜Ｓ１００４は、設定完了になるまで繰り返される（Ｓ１００５−ＮＯ）。全ての集積部１０３Ａ，１０３Ｂについて分類パターンが設定された場合には、設定完了になる。【００７６】
分類パターンの設定が完了した場合には（Ｓ１００５−ＹＥＳ）、Ｓ１００１〜Ｓ１００４の処理結果が反映された分類パターンデータ１０９Ｂが記憶部１０９に書き込まれ、本発明の実施例１に係る分類パターン設定処理の第３例が終了する（Ｓ１００６）。【００７７】
図１２は、本発明の実施例１に係る分類パターン設定処理（図８〜図１０）において設定される分類パターンデータ１０９Ｂの概念図である。【００７８】
図８〜図１０に示されるような分類パターン設定処理によれば、入金処理において最初に行われる分類計数処理（図３のＳ３０２）において参照される分類パターンデータ１０９Ｂに存在しない金種（２０００円及び１００００円）が２回目に行われる分類計数処理（図３のＳ３０７）において参照される分類パターンデータ１０９Ｂとして記憶部１０９に書き込まれる。【００７９】
本発明の実施例１によれば、複数の分類計数処理の間に分類パターンデータ１０９Ｂをクリアし、各分類計数処理の分類パターンの指定金種が異なるような分類パターンが設定されるので、金種の数より少ない集積部を有する紙幣処理装置において、入金処理をしながら効率的に金種毎に分類することができる。【００８０】
また、本発明の実施例１によれば、計数データ１０９Ｃ又はリジェクトデータ１０９Ｄに基づいて分類パターンが設定されるので、複数の分類計数処理を行う場合の分類パターンの設定作業の負担を軽減することができる。
【図１】
2009122501.tif 000003
【図２】
2009122501.tif 000004
【図３】
2009122501.tif 000005
【図４】
2009122501.tif 000006
【図５】
2009122501.tif 000007
【図６】
2009122501.tif 000008
【図７】
2009122501.tif 000009
【図８】
2009122501.tif 000010
【図９】
2009122501.tif 000011
【図１０】
2009122501.tif 000012
【図１１】
2009122501.tif 000013
【図１２】
2009122501.tif 000014
【国際調査報告】
2009122501.tif 000015
2009122501.tif 000016